(57)【要約】【課題】本発明は、生体情報測定装置用保護カバーに関するもので、感染に対するリスクを低減することを目的とする。【解決手段】この目的を達成するために本発明は、上面と２、この上面２の下方に所定間隔をおいて対向させた下面３と、この下面３および前記上面２のそれぞれの外周部を覆った外周面４とを備え、前記上面２を弾性体で形成するとともに、この上面の一方側には表示部目視用開口部１０を設け、前記外周面４で前記上面２の他方側部分には、センサ挿入用開口部１１を設け、このセンサ挿入用開口部１１には、このセンサ挿入用開口部１１の外周を覆うと共にこのセンサ挿入用開口部の外方に突出した突出部１２を設けた。【選択図】図１
2013050326.tif 000002
【特許請求の範囲】
【請求項１】
上面と、この上面の下方に所定間隔をおいて対向させた下面と、この下面および前記上面のそれぞれの外周部を覆った外周面とを備え、
前記上面を弾性体で形成するとともに、この上面の一方側には表示部目視用開口部を設け、前記外周面で前記上面の他方側部分には、センサ挿入用開口部を設け、このセンサ挿入用開口部には、このセンサ挿入用開口部の外周を覆うと共にこのセンサ挿入用開口部の外方に突出した突出部を設けた生体情報測定装置用保護カバー。
【請求項２】
上面、下面、外周面を弾性体で一体成形した請求項１に記載の生体情報測定装置用保護カバー。
【請求項３】
上面、下面、外周面をシリコンゴムで一体成形した請求項２に記載の生体情報測定装置用保護カバー。
【請求項４】
突出部を、前記外周面と一体成形した請求項１から３のいずれか一つに記載の生体情報測定装置用保護カバー。
【発明の詳細な説明】
【技術分野】
【０００１】
本発明は、たとえば、血液中から血糖値などの生体情報を測定する生体情報測定装置に使用される生体情報測定装置用保護カバーに関するものである。
【背景技術】
【０００２】
生体情報測定装置は、本体ケースの上面に表示部や操作部を設け、外周面にはセンサ挿入用開口部を設けている。
【０００３】
前記本体ケースは上下に分割され、その内部に各種部品を収納させた後に上下に一体化することによって構成されている。
【０００４】
そして、このような本体ケースの落下による損傷を防止するために、本体ケースの上面と外周面の一部を覆うカバーを被せたものがある（なおこれに類似する先行文献としては下記特許文献１が存在する）。
【先行技術文献】
【特許文献】
【０００５】
【特許文献１】特開２００４−３１３２６９号公報
【発明の概要】
【発明が解決しようとする課題】
【０００６】
上記従来例においては、本体ケースの落下による衝撃をカバーが緩衝することで、この本体ケースの損傷を防止することができるようになっている。
【０００７】
近年、このような生体情報測定装置においては、感染に対するリスクの低減が求められているのであるが、前述したカバーでは感染リスクを低減することができなかった。
【０００８】
つまり、本体ケースは上下に分割されたものであるが、この上下の分割部分を前記カバーは覆っていないので、この上下の接合部分に血液が付着してしまうことがある。そして、このように血液が付着した上下の接合部分は、洗浄綿などで清浄化することが難しく、この結果として、この血液が付着した上下の接合部分からの感染リスクが発生することとなっていた。
【０００９】
そこで本発明は、感染に対するリスクを低減することを目的とするものである。
【課題を解決するための手段】
【００１０】
そしてこの目的を達成するために、本発明の生体情報測定装置用保護カバーは、上面と、この上面の下方に所定間隔をおいて対向させた下面と、この下面および前記上面のそれぞれの外周部を覆った外周面とを備え、前記上面を弾性体で形成するとともに、この上面の一方側には表示部目視用開口部を設け、前記外周面で前記上面の他方側部分には、センサ挿入用開口部を設け、このセンサ挿入用開口部には、このセンサ挿入用開口部の外周を覆うと共にこのセンサ挿入用開口部の外方に突出した突出部を設け、これにより所期の目的を達成することができる。
【発明の効果】
【００１１】
以上のように本発明の生体情報測定装置用保護カバーは、上面と、この上面の下方に所定間隔をおいて対向させた下面と、この下面および前記上面のそれぞれの外周部を覆った外周面とを備え、前記上面を弾性体で形成するとともに、この上面の一方側には表示部目視用開口部を設け、前記外周面で前記上面の他方側部分には、センサ挿入用開口部を設け、このセンサ挿入用開口部には、このセンサ挿入用開口部の外周を覆うと共にこのセンサ挿入用開口部の外方に突出した突出部を設けたものであるので、感染に対するリスクを低減することができる。
【００１２】
すなわち、本発明においては、上面の表示部目視用開口部から、この生体情報測定装置用保護カバー内に生体情報測定装置を挿入すれば、この上面の他方側部分に設けたセンサ挿入用開口部から空気抜きをすることができるので、生体情報測定装置用保護カバー内に生体情報測定装置を容易に挿入することができる。
【００１３】
また、挿入後は、生体情報測定装置を構成する本体ケースの上下面だけでなく、外周面も生体情報測定装置用保護カバーで覆うので、本体ケースの上下面の接合部分に血液が浸入することはない。このため、本体ケースに付着する血液による感染に対するリスクを低減することができる。
【００１４】
また、本発明においては、生体情報測定装置を構成する本体ケースのセンサ挿入口部分には生体情報測定装置用保護カバーの突出部が設けられた状態となるので、指などが本体ケースのセンサ挿入口に触れにくくなり、その結果として、感染に対するリスクを低減することができる。
【図面の簡単な説明】
【００１５】
【図１】本発明の一実施形態に係る生体情報測定装置用保護カバーの斜視図
【図２】同、生体情報測定装置用保護カバーを装着する生体情報測定装置の斜視図
【発明を実施するための形態】
【００１６】
以下、本発明の一実施形態を、添付図面を用いて説明する。
【００１７】
（実施の形態１）
図１は、生体情報測定装置用保護カバーを示し、１は、ほぼ直方体形状のカバー本体で、上面２と、この上面２の下方に所定間隔をおいて対向させた下面３と、この下面３および上面２のそれぞれの外周部を覆った外周面４とを備えている。
【００１８】
このカバー本体は、その内部に、図２に示す血糖値の測定器５（生体情報測定装置の一例）を挿入して使用する。
【００１９】
測定器５は、図２に示すごとく、ほぼ直方体形状で、その上面の一方側に表示部６が設けられ、他方側の側面にセンサ装着部７が設けられている。そして、血糖値を測定するときには、このセンサ装着部７に、長板形状の血糖値センサ８の接続端子９を装着するようになっている。
【００２０】
図１に戻って、カバー本体１の説明を続ける。
【００２１】
このカバー本体１は、上面２、下面３、外周面４をシリコンゴム（弾性体の一例）で一体成形している。
【００２２】
また、上面２の一方側には、測定器５の表示部６に対応させて、表示部目視用開口部１０を設けている。この表示部目視用開口部１０は、測定器５の表示部６とほぼ同じ大きさに開口させており、カバー本体１に測定器５を挿入したときに、測定器５の表示部６の視認性を妨げないものとなっている。
【００２３】
このため、この図１からも理解されるごとく、表示部目視用開口部１０は上面２の一方側端部近傍、およびその両側の端部近傍にまで大きく開口したものとなっている。
【００２４】
さらにカバー本体１において、外周面４で上面２の他方側部分には、そのほぼ中央部に測定器５のセンサ装着部７に対応させて、センサ挿入用開口部１１を設けている。
【００２５】
このセンサ挿入用開口部１１は、測定器５のセンサ装着部７よりも若干大きく開口させており、血糖値センサ８をセンサ装着部７に装着するときに、その装着を妨げないものとなっている。
【００２６】
さらに、センサ挿入用開口部１１には、このセンサ挿入用開口部１１の外周を覆うと共にこのセンサ挿入用開口部の外方に突出した角筒状の突出部１２を設けている。
【００２７】
また、測定器５は、図２に示す如く、中部から他方側にかけての側面をセンサ装着部７に向けて絞り込んで形成し（センサ装着部７側を若干細くし）、手のひら内で把持しやすくしているが、この測定器５の外形に対応させて、カバー本体１では、図１に示す如く、中部から他方側にかけての側面をセンサ挿入用開口部１１に向けて絞りこんで形成している。
【００２８】
さらに、カバー本体１において、上面２の中部から他方側には、測定器５の操作部１３に対応させて、凸部１４を設けている。
【００２９】
なお、カバー本体１の上面２、下面３、外周面４は、カバー本体１に表示部目視用開口部１０から測定器５を挿入したときに、それぞれが測定器５の上下面および外周部に密着するように形成している。この点は以下に詳述する。
【００３０】
以上の構成において、以下、本実施形態における生体情報測定装置用保護カバーの使用方法について説明する。
【００３１】
まず、測定器５を、センサ装着部７側の端部から、カバー本体１の表示部目視用開口部１０に差し込む。
【００３２】
この時、測定器５は、上述した如く、中部から他方側にかけての側面をセンサ装着部７に向けて絞り込んで形成しているため、大きく開口した表示部目視用開口部１０に容易に差し込むことができる。
【００３３】
この状態から、測定器５を、他方側のセンサ挿入用開口部１１に向けて、カバー本体１内部に挿入していく。なお、カバー本体１は、上述したごとく、弾性体で形成されているので、測定器５を表示部目視用開口部１０からその内部に挿入するときには、弾性を利用し、表示部目視用開口部１０を押し広げながらこの測定器５をカバー本体１内に挿入することとなり、挿入後は、カバー本体１の弾性復帰により、測定器５の外面に密着した状態となる。
【００３４】
また、上述した測定器５のカバー本体１内への挿入時において、カバー本体１は、測定器５の外形に対応させて、中部から他方側にかけての側面を絞りこんで形成しているので、測定器５をカバー本体１内部に挿入していくことにより、カバー本体１内部の空気が圧縮されていく。
【００３５】
この状態において、本実施形態においては、センサ挿入用開口部１１を設けているので、この開口部から空気抜きをすることができ、カバー本体１内に測定器５を容易に挿入することができる。
【００３６】
さらに、カバー本体１内部に測定器５を挿入し、測定器５のセンサ装着部７を、カバー本体１のセンサ挿入用開口部１１に一致させ、その後、測定器５全体をカバー本体１に押し込んで挿入が完了する。
【００３７】
この挿入が完了した後に、使用者は血糖値の測定を開始する。
【００３８】
測定において、使用者は、まず、図２の血糖値センサ８を、カバー本体１のセンサ挿入用開口部１１を介して、測定器５のセンサ装着部７に装着する。次に、使用者は、たとえば人差し指を穿刺して血液を表出させ、この血液を血糖値センサ８の点着部１５に点着すれば、測定器５によって、その時の血糖値が測定され表示部６に表示される。
【００３９】
なお使用者は、カバー本体１の凸部１４を用いて、測定器５の操作部１３を操作する。
【００４０】
この測定時、および、測定器５の操作時において、使用者の血液が誤って飛び散ってしまい、測定器５に付着してしまうことがあった。
【００４１】
測定器５は、図２にしめすごとく、上ケース５ａと下ケース５ｂに分割されており、またこの下ケース５ｂは、電池カバー５ｃが分割して設けられている。これら分割の接合部分に、いったん血液が付着してしまうと、このように血液が付着した接合部分は、洗浄綿などで清浄化することが難しく、この結果として、この血液が付着した接合部分からの感染リスクが発生することとなっていた。
【００４２】
しかしながら、本実施形態においては、カバー本体１に測定器５を挿入した後は、測定器５の上下面だけでなく、測定器５の外周面もカバー本体１の上面２、下面３、外周面４で覆うので、測定器５の接合部分に血液が浸入することはない。
【００４３】
その結果として、測定器５に付着する血液による感染に対するリスクを低減することができる。
【００４４】
さらに本実施形態においては、上述した如く、カバー本体１のセンサ挿入用開口部１１には、このセンサ挿入用開口部１１の外周を覆うと共にこのセンサ挿入用開口部の外方に突出した角筒状の突出部１２を設けている。
【００４５】
このため、感染に対するリスクを低減することができる。
【００４６】
すなわち、測定器５のセンサ装着部７部分には、カバー本体１の突出部１２が設けられた状態となるので、指などが測定器５のセンサ装着部７に触れにくくなり、その結果として、感染に対するリスクを低減することができる。
【００４７】
さらに、カバー本体１の突出部１２は、センサ挿入用開口部１１の外周全体を覆うため、センサ挿入用開口部１１周囲の強度が増した状態となる。
【００４８】
このため、カバー本体１内部に測定器５を挿入するときに、センサ挿入用開口部１１の破損を防止できるものとなっている。
【００４９】
なお、上記実施形態においては、カバー本体１が汚れた場合には、その内部に測定器５が収納された状態で、このカバー本体１の外周面を、たとえば洗浄綿などで清浄化することとしたが、カバー本体１を測定器５から取り外し、この取り外し状態でカバー本体１を清浄化してもよい。
【産業上の利用可能性】
【００５０】
以上のように本発明の生体情報測定装置用保護カバーは、上面と、この上面の下方に所定間隔をおいて対向させた下面と、この下面および前記上面のそれぞれの外周部を覆った外周面とを備え、前記上面を弾性体で形成するとともに、この上面の一方側には表示部目視用開口部を設け、前記外周面で前記上面の他方側部分には、センサ挿入用開口部を設け、このセンサ挿入用開口部には、このセンサ挿入用開口部の外周を覆うと共にこのセンサ挿入用開口部の外方に突出した突出部を設けたものであるので、感染に対するリスクを低減することができる。
【００５１】
すなわち、本発明においては、上面の表示部目視用開口部から、この生体情報測定装置用保護カバー内に生体情報測定装置を挿入すれば、この上面の他方側部分に設けたセンサ挿入用開口部から空気抜きをすることができるので、生体情報測定装置用保護カバー内に生体情報測定装置を容易に挿入することができる。
【００５２】
また、挿入後は、生体情報測定装置を構成する本体ケースの上下面だけでなく、外周面も生体情報測定装置用保護カバーで覆うので、本体ケースの上下面の接合部分に血液が浸入することはない。このため、本体ケースに付着する血液による感染に対するリスクを低減することができる。
【００５３】
また、本発明においては、生体情報測定装置を構成する本体ケースのセンサ挿入口部分には生体情報測定装置用保護カバーの突出部が設けられた状態となるので、指などが本体ケースのセンサ挿入口に触れにくくなり、その結果として、感染に対するリスクを低減することができる。
【００５４】
したがって、本発明は、たとえば、血液中から血糖値などの生体情報を測定する生体情報測定装置に使用される生体情報測定装置用保護カバーとして、広く活用が期待されるものである。
【符号の説明】
【００５５】
１  カバー本体
２  上面
３  下面
４  外周面
５  測定器（生体情報測定装置の一例）
５ａ  上ケース
５ｂ  下ケース
５ｃ  電池カバー
６  表示部
７  センサ装着部
８  血糖値センサ
９  接続端子
１０  表示部目視用開口部
１１  センサ挿入用開口部
１２  突出部
１３  操作部
１４  凸部
【図１】
2013050326.tif 000003
【図２】
2013050326.tif 000004